【手続補正書】
【提出日】平成17年3月28日(2005.3.28)
【手続補正１】
【補正対象書類名】明細書
【補正対象項目名】特許請求の範囲
【補正方法】変更
【補正の内容】
【特許請求の範囲】
【請求項１】
無線ＬＡＮを介してインターネットにアクセスできるサービスを提供する無線ＬＡＮアクセスサービスエリア内の利用者端末の認証結果に基づき前記利用者端末に事業者が提供する情報サービスが掲載されたＷｅｂページを自動的にアクセスさせるインターネットアクセスシステムであって、
前記利用者端末は、
前記無線ＬＡＮの無線ＬＡＮアクセスポイントへの接続に係わる設定情報を自端末に設定すると共に、該設定された設定情報に基づき前記無線ＬＡＮアクセスポイントに対して接続要求を送出し、前記無線ＬＡＮに接続された各種サーバのうちの認証サーバとの間で認証手続を行なう端末設定手段と、
前記認証手続完了後、前記任意のサーバから通知されるＷｅｂページアドレスに基づきＷｅｂページ閲覧手段を起動し、該当するＷｅｂページを表示するＷｅｂブラウザ起動手段と
を具備すると共に、
前記任意のサーバには、
前記無線ＬＡＮアクセスポイントへの接続に係わる設定情報、認証情報、Ｗｅｂページアドレスを記憶するデータベース手段と、
前記利用者端末からの前記接続要求に対する前記認証サーバでの認証手続完了後、前記データベースから前記設定情報を検索して前記利用者端末に通知する設定情報通知手段と、
前記設定情報通知後、前記データベースから前記Ｗｅｂページアドレスを検索して前記利用者端末に通知するＷｅｂページアドレス通知手段と
を設けたことを特徴とするインターネットアクセスシステム。
【請求項２】
前記端末設定手段は、
前記データベース手段に蓄積され、前記利用者端末にダウンロードすることにより実行されることを特徴とする請求項１記載のインターネットアクセスシステム。
【請求項３】
前記端末設定手段は、
前記データベース手段に蓄積され、前記任意のサーバに転送することにより実行されることを特徴とする請求項１記載のインターネットアクセスシステム。
【請求項４】
前記Ｗｅｂページアドレスは、
前記事業者により提供された前記無線ＬＡＮアクセスサービスエリアに関連する情報サービスもしくは前記利用者端末の認証情報に基づく該利用者端末の利用者に関連する情報サービスが掲載されたＷｅｂページのアドレスである
ことを特徴とする請求項１記載のインターネットアクセスシステム。
【請求項５】
前記無線ＬＡＮアクセスポイントは、
不特定多数の利用者端末を接続可能な第１の無線ＬＡＮアクセスポイントと、任意の認証情報に基づく認証が認められた特定の利用者端末のみ接続可能な第２の無線ＬＡＮアクセスポイントから成り、
前記端末設定手段は、
前記第１の無線ＬＡＮアクセスポイントに接続して前記認証サーバとの間で認証手続を行ない、該認証手続完了後、前記第２の無線ＬＡＮアクセスポイントに切換えてインターネット接続処理を行なう
ことを特徴とする請求項１記載のインターネットアクセスシステム。
【請求項６】
前記第１の無線ＬＡＮアクセスポイントと、前記第２の無線ＬＡＮアクセスポイントは、
１つの無線ＬＡＮアクセスポイントで構成されることを特徴とする請求項５記載のインターネットアクセスシステム。
【請求項７】
ＩＰネットワークを介してインターネットと接続する第１のルーティング手段を含む第１のＬＡＮと、
前記第１のＬＡＮに接続される第２のルーティング手段を含む第２のＬＡＮと、
前記第１のＬＡＮに接続された第１のサーバ手段と、
前記第２のＬＡＮに接続された第２のサーバ手段とを更に備え、
前記第２のルーティング手段は、
インターネットから前記第２のサーバ手段への接続を許可しないように制御することを特徴とする請求項１記載のインターネットアクセスシステム。
【手続補正２】
【補正対象書類名】明細書
【補正対象項目名】０００８
【補正方法】変更
【補正の内容】
【０００８】  利用者が端末１１から無線ＬＡＮ９０に接続するためには、無線ＬＡＮアクセスポイント装置１２（ＡＰ１２）のＥＳＳ−ＩＤ及びＷｅｐの設定値と同一の値に端末１１の図示しない無線ＬＡＮ装置を設定する必要がある。
【手続補正３】
【補正対象書類名】明細書
【補正対象項目名】０００９
【補正方法】変更
【補正の内容】
【０００９】  そこで、利用者が容易に無線ＬＡＮ９０に接続できるようにＡＰ１２のＥＳＳ−ＩＤを例えば「ＡＮＹ」、Ｗｅｐを「なし」と設定して利用者の認証や暗号化を行なわないことにより、利用者端末１１が無線ＬＡＮ９０に容易に接続することができる。
【手続補正４】
【補正対象書類名】明細書
【補正対象項目名】００１０
【補正方法】変更
【補正の内容】
【００１０】  利用者へのＡＰ１２の設定情報（例えば、「ｃｈ：６」、「ＥＳＳ−ＩＤ：ＡＮＹ」，「Ｗｅｐ：なし」等）は無線ＬＡＮアクセスサービスエリアの掲示板等に掲示して利用者に告知するようにする。
【手続補正５】
【補正対象書類名】明細書
【補正対象項目名】００１４
【補正方法】変更
【補正の内容】
【００１４】  図１０に示すようにインターネットアクセスシステム１００はＡＰ１３の設定情報のＥＳＳ−ＩＤを特定の値（例えば「ＥＳＳ−ＩＤ：ＡＰ２」）に設定することによりＥＳＳ−ＩＤの異なる端末１１が無線ＬＡＮ９０に接続することを拒否することができる。    また、Ｗｅｐを特定の値（例えば「Ｗｅｐ：ａｂｃ−ｘｙｚ」）に設定することにより端末１１と無線ＬＡＮ間の暗号プロトコルを実装させ、無線信号の隠匿性を高くして通信データの盗用を防止することができ、利用権利の認証を受けた利用者のみがインターネットアクセスシステム１００へ接続できるという構成となっている。
【手続補正６】
【補正対象書類名】明細書
【補正対象項目名】００２６
【補正方法】変更
【補正の内容】
【００２６】  【課題を解決するための手段】  上記目的を達成するために、無線ＬＡＮを介してインターネットにアクセスできるサービスを提供する無線ＬＡＮアクセスサービスエリア内の利用者端末の認証結果に基づき前記利用者端末に事業者が提供する情報サービスが掲載されたＷｅｂページを自動的にアクセスさせるインターネットアクセスシステムであって、前記利用者端末は、前記無線ＬＡＮの無線ＬＡＮアクセスポイントへの接続に係わる設定情報を自端末に設定すると共に、該設定された設定情報に基づき前記無線ＬＡＮアクセスポイントに対して接続要求を送出し、前記無線ＬＡＮに接続された各種サーバのうちの認証サーバとの間で認証手続を行なう端末設定手段と、前記認証手続完了後、前記任意のサーバから通知されるＷｅｂページアドレスに基づきＷｅｂページ閲覧手段を起動し、該当するＷｅｂページを表示するＷｅｂブラウザ起動手段とを具備すると共に、前記任意のサーバには、前記無線ＬＡＮアクセスポイントへの接続に係わる設定情報、認証情報、Ｗｅｂページアドレスを記憶するデータベース手段と、前記利用者端末からの前記接続要求に対する前記認証サーバでの認証手続完了後、前記データベースから前記設定情報を検索して前記利用者端末に通知する設定情報通知手段と、前記設定情報通知後、前記データベースから前記Ｗｅｂページアドレスを検索して前記利用者端末に通知するＷｅｂページアドレス通知手段とを設けたことを特徴とする。
【手続補正７】
【補正対象書類名】明細書
【補正対象項目名】００７１
【補正方法】変更
【補正の内容】
【００７１】 ローカルＷｅｂサーバ１４はＷｅｂサーバアドレス「１９２．１６８．１．３５」に該当するアドレスのホームページに接続し、接続されたホームページがＡＰ１３を経由して端末１１に送信され表示される。
【手続補正８】
【補正対象書類名】明細書
【補正対象項目名】０１１２
【補正方法】変更
【補正の内容】
【０１１２】  利用者の入力したＩＤおよびパスワードとデータベース２４に登録されているＩＤおよびパスワードとが一致している場合は、Ｗｅｂページアドレス通知手段により任意のサーバ（例えば認証サーバ１８）のデータベース２４に登録されているＷｅｂサーバアドレス情報の中から利用者ＩＤに応じたＷｅｂサーバアドレス情報が抽出される（ステップ４０４／’一致’、ステップ４０６）。
【手続補正９】
【補正対象書類名】明細書
【補正対象項目名】０１３７
【補正方法】変更
【補正の内容】
【０１３７】  図６に示すように実施形態２のクライアントソフト３２は、実施形態１のクライアントソフト２２のモニター手段（図３に示したＡＰ１２の設定ｃｈ情報を取得する処理（ステップ３００）〜ＡＰ１２への接続要求（ステップ３０２））の処理が省略された他は、実施形態１の場合（図３に示したステップ３０３〜ステップ３１２）と同様であるので、実施形態２のクライアントソフト３２の説明は省略する。
【手続補正１０】
【補正対象書類名】図面
【補正対象項目名】図１
【補正方法】変更
【補正の内容】
【図１】
2004127187.tif 000001
【手続補正１１】
【補正対象書類名】図面
【補正対象項目名】図２
【補正方法】変更
【補正の内容】
【図２】
2004127187.tif 000002
【手続補正１２】
【補正対象書類名】図面
【補正対象項目名】図５
【補正方法】変更
【補正の内容】
【図５】
2004127187.tif 000003
【手続補正１３】
【補正対象書類名】図面
【補正対象項目名】図８
【補正方法】変更
【補正の内容】
【図８】
2004127187.tif 000004
【手続補正１４】
【補正対象書類名】図面
【補正対象項目名】図９
【補正方法】変更
【補正の内容】
【図９】
2004127187.tif 000005
【手続補正１５】
【補正対象書類名】図面
【補正対象項目名】図１０
【補正方法】変更
【補正の内容】
【図１０】
2004127187.tif 000006